(57)【要約】      （修正有）【課題】画像形成装置において発生したメンテナンス事象を解消するための操作手順を示す動画をユーザに提示する際に違和感のない表示をする。【解決手段】画像形成装置において発生したメンテナンス事象を解消するために必要な操作手順を示す動画を再生する。該画像形成装置は、ジョブの開始を検知し、ユーザの操作を検知した場合は、メンテナンス事象を解消するために必要な操作手順を示す動画のフレームレートを落として再生する。【選択図】図９
2015106288.tif 000002
【特許請求の範囲】
【請求項１】
画像形成装置において発生したメンテナンス事象を解消するために必要な操作手順を示す部分動画を複数連続して再生することにより一連の動画として再生することが可能な画像形成装置であって、
前記動画を第１のフレームレートで再生する第１の再生手段と、
前記動画を第１のフレームレートより低フレームレートの第２のフレームレートで再生する第２の再生手段と、
前記第１の再生手段又は前記第２の再生手段により再生中の動画を一時停止する停止手段と、
前記停止手段により一時停止された動画の再生開始をユーザが指示するための指示手段と、
前記指示手段により動画の再生開始が指示された際のジョブの実行状況を判別する判別手段と、
前記判別手段による判別結果に基づいて、前記第１の再生手段による動画の再生と前記第２の再生手段による動画の再生とを切り替える制御手段と、
を有することを特徴とする画像形成装置。
【請求項２】
前記制御手段は、前記判別手段による判別の結果、ジョブが実行中であれば前記第２の再生手段により動画を再生し、ジョブが実行中でなければ前記第１の再生手段により動画を再生することを特徴とする請求項１記載の画像形成装置。
【請求項３】
前記指示手段により動画の再生開始が指示された場合、再生する部分動画を切替えるか否かを判定する判定手段を有し、
前記制御手段は、前記判定手段により再生する部分動画を切替えると判定された場合、前記判別手段による判別結果に基づいた動画の再生を行い、前記判定手段により再生する部分動画を切替えないと判定された場合、前記第１の再生手段による動画の再生を行うよう制御することを特徴とする請求項１又は２記載の画像形成装置。
【請求項４】
画像形成装置において発生したメンテナンス事象を解消するために必要な操作手順を示す部分動画を複数連続して再生することにより一連の動画として再生することが可能な画像形成装置であって、
前記動画を第１のフレームレートで再生する第１の再生手段と、
前記動画を第１のフレームレートより低フレームレートの第２のフレームレートで再生する第２の再生手段と、
前記第１、第２の再生手段により再生中の動画における部分動画の切替えを判定する判定手段と、
前記判定手段により部分動画の切替えを判定した際のジョブの実行状況を判別する判別手段と、
前記判別手段による判別結果に基づいて、前記第１の再生手段による動画の再生と前記第２の再生手段による動画の再生とを切り替える制御手段と、
を有することを特徴とする画像形成装置。
【請求項５】
前記第２の再生手段により動画を再生している場合、前記第２のフレームレートで再生していることをユーザに通知する通知手段を有することを特徴とする請求項１から４のいずれか１項に記載の画像形成装置。
【請求項６】
前記第２の再生手段により動画を再生している場合、前記第１の再生手段による動画の再生への切替えを指示するためのボタンを表示することを特徴とする請求項１から５のいずれか１項に記載の画像形成装置。
【請求項７】
複数のメンテナンス事象の各々に対応づけて前記複数の部分動画の組み合わせを記憶する記憶手段と、
メンテナンス事象の発生を検知する検知手段と、
前記第１、第２の再生手段は、前記記憶手段により記憶された情報に基づいて、前記検知手段により検知したメンテナンス事象に対応する複数の部分動画を取得し、一連の動画として再生することを特徴とする請求項１から６のいずれか１項に記載の画像形成装置。
【請求項８】
前記記憶手段は、前記複数の部分動画の組み合わせと共に、各部分動画の再生順を記憶し、
前記第１、第２の再生手段は、前記検知手段により検知したメンテナンス事象に対応する複数の動画を取得し、前記再生順に従って一連の動画として再生することを特徴とする請求項７記載の画像形成装置。
【請求項９】
前記複数の部分動画は、メンテナンス事象を解消する操作手順の前に実施すべき操作手順を示す事前準備動画と、前記事前準備動画で示される操作手順を実施した後に行う操作手順を示す本編動画とから構成されることを特徴とする請求項１から８のいずれか１項に記載の画像形成装置。
【請求項１０】
画像形成装置において発生したメンテナンス事象を解消するために必要な操作手順を示す部分動画を複数連続して再生することにより一連の動画として再生することが可能な画像形成装置の制御方法であって、
前記動画を第１のフレームレートで再生する第１の再生工程と、
前記動画を第１のフレームレートより低フレームレートの第２のフレームレートで再生する第２の再生工程と、
前記第１の再生工程又は前記第２の再生工程において再生中の動画を一時停止する停止工程と、
前記停止工程において一時停止された動画の再生開始をユーザが指示するための指示工程と、
前記指示工程において動画の再生開始が指示された際のジョブの実行状況を判別する判別工程と、
前記判別工程における判別結果に基づいて、前記第１の再生工程における動画の再生と前記第２の再生工程における動画の再生とを切り替える制御工程と、
を有することを特徴とする画像形成装置の制御方法。
【請求項１１】
画像形成装置において発生したメンテナンス事象を解消するために必要な操作手順を示す部分動画を複数連続して再生することにより一連の動画として再生することが可能な画像形成装置の制御方法であって、
前記動画を第１のフレームレートで再生する第１の再生工程と、
前記動画を第１のフレームレートより低フレームレートの第２のフレームレートで再生する第２の再生工程と、
前記第１、第２の再生工程において再生中の動画における部分動画の切替えを判定する判定工程と、
前記判定工程において部分動画の切替えを判定した際のジョブの実行状況を判別する判別工程と、
前記判別工程における判別結果に基づいて、前記第１の再生工程における動画の再生と前記第２の再生工程における動画の再生とを切り替える制御工程と、
を有することを特徴とする画像形成装置の制御方法。
【請求項１２】
請求項１０又は１１記載の制御方法をコンピュータに実行させるためのコンピュータプログラム。
【発明の詳細な説明】
【技術分野】
【０００１】
画像形成装置のメンテナンス手順の表示方法に関する
【背景技術】
【０００２】
従来から、ジャム解除やトナーカートリッジの交換、ホチキス針の補給などのメンテナンスの手順を、動画により提示する画像形成装置が提案されている（特許文献１）。これは、動画の表現性の高さや豊富な情報量により、ユーザが、より円滑にメンテナンスを実施できるようにすることを目的としている。
【０００３】
一方、メンテナンス手順を示す動画を表示している最中に、スキャン処理等のジョブが開始された場合、当該ジョブの処理のためにＣＰＵの負荷が増大し、動画のフレーム更新の遅延や、ジョブの実行の遅延を発生させてしまう場合がある。上記課題を解決するため、特許文献２には、メンテナンス手順を示す動画再生中にジョブが開始された場合に、動画の１秒あたりのフレーム更新回数（フレームレート）を落とし、ＣＰＵの負荷を軽減することが開示されている。
【先行技術文献】
【特許文献】
【０００４】
【特許文献１】特開２００８−２８２２１７
【特許文献１】特開２０１０−７４５２４
【発明の概要】
【発明が解決しようとする課題】
【０００５】
しかしながら、特許文献１では、ジョブが開始されたタイミングで動画のフレームレートを落とすため、現在ユーザが閲覧している動画が急に低い更新速度で再生されることになり、ユーザにとって違和感のある表示になってしまう可能性がある。
【０００６】
本発明は、画像形成装置において発生したメンテナンス事象を解消するための操作手順を示す動画をユーザに提示する際の課題を解決することを目的とする。
【課題を解決するための手段】
【０００７】
上記課題を解決するため、本発明は、画像形成装置において発生したメンテナンス事象を解消するために必要な操作手順を示す部分動画を複数連続して再生することにより一連の動画として再生することが可能な画像形成装置であって、
前記動画を第１のフレームレートで再生する第１の再生手段と、
前記動画を第１のフレームレートより低フレームレートの第２のフレームレートで再生する第２の再生手段と、
前記第１の再生手段又は前記第２の再生手段により再生中の動画を一時停止する停止手段と、
前記停止手段により一時停止された動画の再生開始をユーザが指示するための指示手段と、
前記指示手段により動画の再生開始が指示された際のジョブの実行状況を判別する判別手段と、
前記判別手段による判別結果に基づいて、前記第１の再生手段による動画の再生と前記第２の再生手段による動画の再生とを切り替える制御手段と、
を有することを特徴とする。
【発明の効果】
【０００８】
本発明によれば、画像形成装置において発生したメンテナンス事象を解消するための操作手順を示す動画をユーザに提示する際の課題を解決することを目的とする。
【図面の簡単な説明】
【０００９】
【図１】本発明の実施形態における画像処理装置のハードウェア構成を示すブロック図である。
【図２】本発明の実施形態における画像形成装置の外観を示す外観図である。
【図３】本発明の実施形態における画像形成装置の内部構造を示す断面図である。
【図４】本発明の実施形態におけるメンテナンス事象と動画の関係を定義したデータ構成図である。
【図５】本発明の実施形態における表示デバイス１１５の画面例を示す図である。
【図６】本発明の実施形態における表示デバイス１１５の画面例を示す図である。
【図７】本発明の実施形態における表示デバイス１１５の画面例を示す図である。
【図８】本発明の実施形態における表示デバイス１１５の画面例を示す図である。
【図９】本発明の実施形態における表示デバイス１１５の画面例を示す図である。
【図１０】本発明の第１の実施形態における処理手順を示すフロー図である。
【図１１】本発明の第１の実施形態における処理手順を示すフロー図である。
【図１２】本発明の第１の実施形態における処理手順を示すフロー図である。
【図１３】本発明の第１の実施形態における処理手順を示すフロー図である。
【図１４】本発明の第１の実施形態における処理手順を示すフロー図である。
【図１５】本発明の第１の実施形態における処理手順を示すフロー図である。
【図１６】本発明の第１の実施形態における処理手順を示すフロー図である。
【図１７】本発明の第１の実施形態における処理手順を示すフロー図である。
【図１８】本発明の第２の実施形態における処理手順を示すフロー図である。
【図１９】本発明の第３の実施形態における処理手順を示すフロー図である。
【図２０】本発明の第４の実施形態における表示デバイス１１５の画面例を示す図である。
【発明を実施するための形態】
【００１０】
（第１の実施形態）
以下、本発明の実施の形態について図面を参照しながら説明する。
【００１１】
図１は、本実施例における複合機などの画像形成装置１００の概略構成を示すブロック図である。
【００１２】
図１において、画像形成装置１００は、ＣＰＵ１０１、ＲＯＭ１０２、ＲＡＭ１０４、プリンタ制御部１０５、画像読取制御部１０７、ストレージ制御部１１０、入力制御部１１２、及び表示制御部１１４を備え、これらはバス１０３で接続される。
【００１３】
また、画像形成装置１００は、ストレージ１１１、プリンタデバイス１０６、スキャナデバイス１０８、原稿搬送デバイス１０９、入力デバイス１１３、及び表示デバイス１１５を備えている。
【００１４】
ＣＰＵ１０１は、この画像形成装置１００全体を制御する。ＣＰＵ１０１はＲＯＭ１０２に格納されているブートプログラムにより、ＯＳ（オペレーティングシステム）を起動する。そして、ＣＰＵは、このＯＳの上でストレージ１１１に記憶されているプログラムを実行する。ＲＡＭ１０４は、ＣＰＵ１０１の主メモリやワークエリア等の一時記憶領域として使用される。プログラムをＣＰＵ１０１が実行する際には、当該プログラムをストレージ１１１から読み出してＲＡＭ１０４に記憶する。
【００１５】
プリンタ制御部１０５は、プリントジョブに基づいて、プリンタデバイス１０６を制御して画像データを紙などの用紙に印刷させる。プリンタデバイス１０６は画像データを用紙上に印刷する。
【００１６】
画像読取制御部１０７は、スキャンジョブに基づいてスキャナデバイス１０８を制御して画像データを生成する。また、ＡＤＦ（オート・ドキュメント・フィーダ）などの原稿搬送デバイス１０９を制御し、原稿搬送デバイス１０９の原稿台に載置された原稿を１枚ずつスキャナデバイス１０８に搬送し画像データを生成させる。スキャナデバイス１０８はＣＣＤなどの光学読取装置を用いて原稿の走査を行い、原稿の画像情報を電気信号データに変換する。
【００１７】
なお、プリンタ制御部１０５と画像読取制御部１０７を一体的に構成し、プリンタデバイス１０６、スキャナデバイス１０８、原稿搬送デバイス１０９を制御するようにしてもよい。
【００１８】
ストレージ１１１は、ＨＤＤなどの読み書き可能な不揮発性記憶装置である。このストレージ１１１には、画像形成装置１００全体を制御するためのプログラムや各種アプリケーションプログラム、及び、メンテナンス手順を示す動画など様々なデータが記憶される。そして、それらの各プログラムはＣＰＵ１０１により実行される。ストレージ制御部１１０はストレージ１１１を制御する。
【００１９】
入力制御部１１２は、タッチパネルやハードキーなどの入力デバイス１１３からユーザの操作指示を受け付ける。表示制御部１１４はＬＣＤやＣＲＴなどの表示デバイス１１５を制御して、操作画面や動画をユーザに対して表示させる。
【００２０】
図２は、画像形成装置１００の外観を示す外観図である。
【００２１】
図２において、画像形成装置１００に設けられた右カバー２０１及びトナーカバー２０２が示されている。
【００２２】
右カバー２０１は、ジャム紙を除去するために、印刷用紙の搬送路を露出させるためのものである。トナーカバー２０２は、トナーを交換する際に、トナー容器装着箇所を露出させるためのものである。上述した右カバー２０１及びトナーカバー２０２の開閉状態を検知するセンサを画像形成装置１００は備えている。
【００２３】
図３は、画像形成装置１００の内部構造を示す断面図である。図３における内部構造は、例えばＣＭＹＫ（シアン、マゼンタ、イエロー、ブラック）のフルカラーの画像形成装置での一例を示している。
【００２４】
感光ドラム３０１は、一次帯電気３０２により特定の極性電位に帯電処理され、図示しない露光手段によって３０３に示される位置がＣＰＵ１０１からの指示に従って露光される。このようにして例えばＫに対応した静電潜像が形成される。
【００２５】
ロータリー現像機３０４は、トナーカートリッジと一体となった４つの現像機を具備する。静電潜像が形成されたあと、ロータリー現像機３０４の現像機の中のひとつにより、感光ドラム３０１にＫに対応する画像が現像される。
【００２６】
中間転写ベルト３０５は３０６が示す方向に駆動され、感光ドラムに現像されたＫに対応する画像が、感光ドラムと中間転写ベルトの接合部分を通る過程で、一次転写ローラー３０７により形成された電界によって中間転写ベルトに転写される。中間転写ベルトに転写を終えた感光ドラム３０１の表面はクリーニング装置３０８によって清掃される。この処理を順次繰り返し、４色（マゼンタ、シアン、イエロー、ブラック）の画像を中間転写ベルトに重ね合わせて、カラー画像が形成される。単色の画像を形成する場合は一度だけ転写処理が行われる。
【００２７】
中間転写ベルト３０５に転写された画像は二次転写ローラー３０９部分でカセット３１０より給紙された用紙に印刷される。画像が印刷された用紙は定着機３１１で加熱され定着される。定着後、用紙はローラー３１２によって、排紙口３１３まで搬送され機外に排出される。両面印刷を行う場合は、反転パス３１４を通過して用紙を循環させ、印刷処理を繰り返す。
【００２８】
排紙部センサ３１５および両面部センサ３１６は、印刷用紙の滞留有無を検知するものである。これらのセンサによりジャムの発生を検知する。これらのセンサは、メカ・フラグを用いたものでもよいし、光学的な素子を用いたものでもよい。
【００２９】
図４は、図１におけるストレージ１１１に記憶された動画リストテーブル４００、及び動画テーブル４１０を示す図である。
【００３０】
図４（ａ）は、動画リストテーブル４００を示す図である。動画リストテーブル４００は、メンテナンス事象（ジャム、トナー切れ等）と、当該メンテナンス事象の発生を検知した際に再生すべき動画との関連を定義するテーブルである。動画リストテーブル４００には、メンテナンスＩＤ４０１と動画リスト４０２とが対応付けて記憶されている。メンテナンスＩＤは、画像形成装置１００において発生したメンテナンス事象を識別するための識別情報である。
【００３１】
図４（ａ）において、００１は搬送部ジャムであり、排紙部センサ３１５により検知される。００２は、両面部ジャムであり、両面部センサ３１６により検知される。００３は搬送部ジャム及び両面部ジャムであり、排紙部センサ３１５及び両面部センサ３１６により検知される。
【００３２】
００４はマゼンタトナー切れ、００５はシアントナー切れ、００６はイエロートナー切れ、００７はブラックトナー切れであり、これらはプリンタデバイス１０６により検知される。
【００３３】
動画リスト４０２は、各メンテナンス事象が発生した際に再生すべき動画のリストを示している。メンテナンス事象が発生した場合、該メンテナンス事象を解消するために必要な一連の操作手順をユーザに示す必要がある。該一連の操作手順は、例えばカバーを開ける手順、ジャム紙を除去する手順、カバーを閉じる手順など、複数の操作手順から構成されている。本実施形態では、メンテナンス事象毎に一連の操作手順を示す一本の動画を用意しておくのではなく、操作手順（操作要素）毎に動画を用意しておき、これらの動画を複数組み合わせて一連の操作手順をユーザに示すものとする。以下の説明では、該操作手順毎の動画を「部分動画」と呼ぶことにする。動画リスト４０２には、複数の部分動画の組み合わせと、各部分動画の再生順とがメンテナンスＩＤ４０１と対応づけて記憶されている。部分動画の組み合わせとは、例えばメンテナンスＩＤ４０１が１の場合は、それに対応する動画リスト４０２に示される部分動画Ａ１、Ａ２、Ａ４である。また、再生順は、記載されている順番であり、メンテナンスＩＤ４０１が１の場合はＡ１、Ａ２、Ａ４の順に部分動画が再生されることになる。
【００３４】
図４（ｂ）は、動画テーブル４１０を示す図である。動画テーブル４１０は、動画ＩＤ４１１と、動画ファイル４１２と、再生時間４１３と、カバー開閉フラグ４１４と、メッセージ４１５と、イラストファイル４１６を対応付けるテーブルである。
【００３５】
動画ＩＤ４１１は、部分動画を識別するためのＩＤであり、上述した動画リストテーブル４００における動画リストでも用いられる。
【００３６】
動画ファイル４１２は、再生する部分動画のファイル名とストレージ１１１における部分動画ファイルの位置とを示している。なお、ここでは部分動画ファイルがストレージ１１１内に記憶されているものとするが、ネットワークを介して接続されたサーバや、ＵＳＢケーブルを介して接続された記憶デバイス等の外部装置に記憶しておき、必要な時に読み出す構成にしてもよい。
【００３７】
再生時間４１３は、その部分動画を再生してから終了するまでの再生時間を示している。
【００３８】
カバー開閉フラグ４１４は、画像形成装置１００のカバーが開けられる前の手順を示す部分動画であるか、開けられた後の手順を示す部分動画であるかを示している。カバー開閉フラグ４１４が０の場合、カバーが開けられる前の手順を示す部分動画であることを示し、カバー開閉フラグ４１４が１の場合、カバーが開けられた後の手順を示す部分動画であることを示す。
【００３９】
メッセージ４１５は、対応する部分動画を再生中に表示するメッセージを示している。
【００４０】
イラストファイル４１６は、部分動画の代わりに表示するイラストのファイル名とストレージ１１１におけるイラストファイルの位置とを示している。なお、ここではイラストファイルがストレージ１１１内に記憶されているものとするが、ネットワークを介して接続されたサーバや、ＵＳＢケーブルを介して接続された記憶デバイス等の外部装置に記憶しておき、必要な時に読み出す構成にしてもよい。
【００４１】
各部分動画ファイルに示される操作手順は、以下の通りである。
【００４２】
部分動画Ａ１には、右カバー２０１を開ける操作手順が示されている。部分動画Ａ２には、排紙部センサ３１５付近のジャム紙を除去する操作手順、部分動画Ａ３には、両面部センサ３１６付近のジャム紙を除去する操作手順が示されている。部分動画Ａ４には、右カバー２０１を閉める操作手順が示されている。
【００４３】
部分動画Ｂ１には、トナーカバー２０２を開ける操作手順が示されている。部分動画Ｂ２には、空のマゼンタトナーカートリッジを取り出す操作手順、部分動画Ｂ３には、新しいマゼンタトナーカートリッジを準備する操作手順、部分動画Ｂ４には、新しいマゼンタトナーカートリッジを装着する操作手順が示されている。
【００４４】
部分動画Ｂ５には、空のシアントナーカートリッジを取り出す操作手順、部分動画Ｂ６には、新しいシアントナーカートリッジを準備する操作手順、部分動画Ｂ７には、新しいシアントナーカートリッジを装着する操作手順が示されている。
【００４５】
部分動画Ｂ８には、空のイエロートナーカートリッジを取り出す操作手順、部分動画Ｂ９には、新しいイエロートナーカートリッジを準備する操作手順、部分動画Ｂ１０には、新しいイエロートナーカートリッジを装着する操作手順が示されている。
【００４６】
部分動画Ｂ１１には、空のブラックトナーカートリッジを取り出す操作手順、部分動画Ｂ１２には、新しいブラックトナーカートリッジを準備する操作手順、部分動画Ｂ１３には、新しいブラックトナーカートリッジを装着する操作手順が示されている。
【００４７】
部分動画Ｂ１４には、トナーカバー２０２を閉める操作手順が示されている。
【００４８】
図４（ａ）の動画リスト４０２の説明に戻る。例えば搬送部ジャムが発生した場合（メンテナンスＩＤが００１）、最初に右カバー２０１を開ける操作手順を示す部分動画Ａ１が再生さえる。そして、続いて排紙部センサ３１５付近のジャム紙を除去する操作手順を示す部分動画Ａ２、右カバー２０１を閉める操作手順を示す部分動画Ａ４の順に再生される。ここで、メンテナンス事象である搬送部ジャムを解消するための操作手順を示しているのは部分動画Ａ２であり、部分動画Ａ１はその準備のための操作手順を示していると言える。以下の説明では、メンテナンス事象を解消する手順の前に実施すべき操作手順を示す部分動画を「事前準備動画」と呼ぶことにする。また、メンテナンス事象を解消するための操作手順、言い換えると、事前準備動画で示される操作手順を実施した後に行う操作手順を示す部分動画を「本編動画」と呼ぶことにする。例えば、メンテナンスＩＤが００１の場合、部分動画Ａ１が事前準備動画、部分動画Ａ２とＡ４が本編動画となり、メンテナンスＩＤが００４の場合、部分動画Ｂ１が事前準備動画、部分動画Ｂ５、Ｂ６、Ｂ７、Ｂ１４が本編動画となる。本実施形態では、カバー開閉フラグ４１４が０の部分動画が事前準備動画となり、カバー開閉フラグ４１４が１の部分動画が本編動画となる。
【００４９】
図５〜図９は、本実施例における表示デバイス１１５に表示される画面例を示す図である。以下、図５〜図９を用いて、本実施形態における表示画面の遷移の全体像について説明する。
【００５０】
図５における画面５００は、ＣＰＵ１０１がストレージ１１１に記憶されているプログラムを実行することで表示データを生成し、表示制御部１１４を介して表示デバイス１１５に表示される。
【００５１】
図５（ａ）は、メンテナンス事象の発生を検知した際に最初に表示される画面例である。ここでは、搬送部ジャムの発生を検知した場合（メンテナンスＩＤが００１）を例として説明する。メンテナンスＩＤが００１の場合、動画リストテーブル４００によれば、動画ＩＤがＡ１、Ａ２、Ａ４の部分動画が順に再生されることとなる。図５（ａ）では、部事前準備動画である部分動画Ａ１の先頭で停止された状態の画面が表示されている。
【００５２】
画面５００には、動画表示領域５０１、再生ボタン５０２、再生マーク５０３、再生時間表示ラベル５０４、バー５０５、スライダ５０６、チャプタ５０７、メッセージ領域５０８、アイコン５０９が表示されている。
【００５３】
動画表示領域５０１は、メンテナンス手順を示す動画を表示するための領域であり、通常ではフレームレート（１秒間に再生するフレーム数）が１２ｆｐｓの動画が再生される。
【００５４】
再生ボタン５０２は、動画の再生を指示するためのボタンである。再生マーク５０３は、再生ボタン５０２と同じく、動画の再生を指示するためのマークである。再生ボタン５０２又は再生マーク５０３が押下（タッチ）されると、ＣＰＵ１０１は動画の再生を開始する。
【００５５】
再生時間表示ラベル５０４は、再生する複数の部分動画の再生時間の総和（「総再生時間」と呼称する）と、これに対する現在の再生位置に対応する時間を示すものである。
【００５６】
バー５０５およびスライダ５０６は、動画全体における再生位置を示すとともに再生位置の移動を指示するためのシークバーを構成する。バー５０５は、総再生時間を模式的に示している。スライダ５０６は現在の再生位置を示すと共に再生位置の移動を指示するために使用される。スライダ５０６は、動画の再生状態に応じてバー５０５の範囲内で移動する。また、スライダ５０６をドラッグ（移動）することで、再生位置を任意の位置に移動させることができる。また、バー５０５の任意の位置が押下されると、その位置まで動画の再生を進めることができ、スライダ５０６もその再生位置に付随して移動し、動画表示領域５０１もそれに併せて更新される。チャプタ５０７は、動画の区切り位置を示す。
【００５７】
再生時間表示ラベル５０４、チャプタ５０７について具体的に説明する。メンテナンスＩＤが００１の場合、動画リストテーブル４００によれば、部分動画Ａ１、Ａ２、Ａ４が順に再生されることとなる。これらの部分動画の再生時間は、動画テーブル４１０によればそれぞれ１０秒（００：１０）、３０秒（００：３０）、２０秒（００：２０）である。総再生時間は、再生する部分動画の再生時間の総和であるため、この場合は１分００秒（０１：００）となる。一方、再生時間は、総再生時間に対する現在の再生位置を示す。例えば、１番目に再生する部分動画Ａ１の先頭から５秒（００：０５）経過したシーンを表示しているとする。この場合には、そのまま５秒が再生時間となる。また、２番目に再生する部分動画Ａ２の先頭から１０秒が経過したシーンを表示しているとする。この場合には、部分動画Ａ１の再生を終えているので、Ａ１の再生時間１０秒と、Ａ２の再生済みの時間１０秒を加算して２０秒（００：２０）が再生時間となる。再生時間表示ラベル５０４は、このようにして計算した再生時間と総再生時間とが、スラッシュ（／）で連結した文字列として表示される。
【００５８】
また、チャプタ５０７は一連の操作手順のうち、区切りとなる位置に表示される。チャプタ５０７は、部分動画の再生が切り替わる位置（Ａ１とＡ２、Ａ２とＡ４）の２箇所に表示される。また、動画全体の先頭と末尾の２箇所にもチャプタ５０７を表示してもよい。図５（ａ）では、上記４箇所にチャプタ５０７を表示した場合の例を示している。
【００５９】
メッセージ領域５０８には、再生中の部分動画の内容を補足するメッセージが表示される。具体的には、部分動画Ａ１が再生されているときは、動画テーブル４１０内のメッセージ４１５に基づいて、“右カバーを開けてください。”が表示される。尚、メッセージ領域５０８は、対応する部分動画の再生を開始してから一定時間後に非表示にしても良いし、対応する部分動画が表示されている間は表示し続けても良い。
【００６０】
アイコン５０９は、画像形成装置１００においてメンテナンス事象が発生している箇所を示す。具体的には、メンテナンスＩＤが００１の場合、搬送部ジャムが発生しているため、アイコン５０９では搬送部が示されている。
【００６１】
図５（ａ）の画面において、再生ボタン５０２又は再生マーク５０３が押下されると、動画の再生が開始される。メンテナンスＩＤが００１の場合、ＣＰＵ１０１は事前準備動画である部分動画Ａ１の再生を開始する。
【００６２】
図５（ｂ）は、部分動画Ａ１の再生が開始されてから２秒後の画面例を示している。動画の再生開始に応じて、再生ボタン５０２及び再生マーク５０３が非表示となり、再生ボタン５０２に代わって同位置に一時停止ボタン５１０が表示される。
【００６３】
図５（ｃ）は、再生位置が部分動画Ａ１の末尾まで到達した時の画面例を示した図である。部分動画Ａ１の再生が終了した時点、すなわちチャプタ５１１の位置で動画の再生が自動的に一時停止される。そして、再生マーク５１２と共にリプレイマーク５１３が表示される。また、一時停止ボタン５１０は非表示となり、同表示位置に再生ボタン５１４が表示される。リプレイマーク５１３は、現在停止されている部分動画の先頭からの再生を指示するためのマークである。具体的には、チャプタ５１１の位置で停止中に、リプレイマーク５１３が押下されると、ＣＰＵ１０１は部分動画Ａ１の先頭に移動して動画の再生を再開する。このように、部分動画の再生が終了した時点で動画の再生を自動的に一時停止することにより、ユーザの意図とは関係なく、先の操作手順を示す動画に進んでしまうのを防ぐことができる。また、一時停止した際には、再生マーク５１２と共にリプレイマーク５１３を表示するので、次の操作手順の動画に進むのか、もう一度動画を見直すのかを容易に選択することができる。
【００６４】
図５（ｄ）は、部分動画Ａ１の再生途中に右カバー２０１が開けられたことを検知した場合に表示される画面例を示した図である。右カバー２０１が開けられたことを検知した場合、ＣＰＵ１０１は部分動画Ａ１の再生を自動的に終了し、本編動画の最初の部分動画であるＡ２の先頭（チャプタ５１５）で停止された状態の画面を表示する。この場合、再生マーク５１６のみ表示される。再生マーク５１６のみを表示することにより、次にユーザがすべき作業の動画を見るように促すことができる。メッセージ領域５０８には、部分動画Ａ２に対応するメッセージ“搬送部の紙を取り除いて下さい。”が表示される。なお、既に右カバー２０１が開けられた場合には、部分動画Ａ１を改めて再生する必要がないため、リプレイマークは表示されない。このように、事前準備動画で示される操作が完了した場合には、自動的に本編動画に進むので、ユーザは安心して次の操作に進むことができる。
【００６５】
また、図５（ｃ）と図５（ｄ）を比較すると、同じチャプタ位置（５１１、５１５）で動画が一時停止されており、リプレイマークが表示されているか否かに差異がある。このように、事前準備動画と本編動画が切り替わるチャプタ位置で動画が停止されている場合でも、リプレイマークが表示されているか否かを確認することで、事前準備動画で示される作業が完了しているか否かを容易に識別することができる。
【００６６】
図５（ｃ）又は図５（ｄ）の画面において、再生マーク５１２、５１６又は再生ボタン５１４が押下されると、部分動画Ａ２の再生が開始される。図６（ａ）は、部分動画Ａ２の再生が開始されてから３秒後の画面例を示した図である。
【００６７】
図６（ｂ）は、部分動画Ａ２の再生途中で一時停止ボタン又は動画表示領域が押下された時の画面例を示した図である。一時停止ボタン又は動画表示領域が押下されると、動画の再生が停止され、再生マーク６０１と共にリプレイマーク６０２が表示される。
【００６８】
図６（ｃ）は、部分動画Ａ２の末尾まで再生された時の画面例を示した図である。部分動画Ａ２の再生が終了した時点、すなわちチャプタ６０３の位置で、動画の再生が自動的に一時停止され、再生マーク６０４と共にリプレイマーク６０５が表示される。
【００６９】
図６（ｄ）は、図６（ｂ）の画面におけるリプレイマーク６０２、又は図６（ｃ）の画面におけるリプレイマーク６０５が押下された時に表示される画面例を示した図である。リプレイマーク６０２又は６０５が押下されると、停止中の部分動画Ａ２の先頭（チャプタ６０６）に移動して動画の再生が再開される。
【００７０】
このように、ユーザによる意図的な操作によって動画が一時停止した場合も、部分動画の再生終了により自動的に一時停止された場合と同様に、再生マークと共にリプレイマークが表示される。
【００７１】
図７（ａ）は、再生位置が動画全体の末尾（メンテナンスＩＤが００１の場合、部分動画Ａ４の末尾）まで到達した時の画面例を示した図である。この場合、次に表示される部分動画は存在しないので、リプレイマーク７０１のみ表示され、再生マークは表示されない。また、再生ボタン７０２は、操作不可能であることを示すためにグレーアウト表示される。
【００７２】
図７（ｂ）は、再生位置が動画の末尾まで到達したときの別の画面例を示した図である。図７（ａ）と異なり、リプレイマーク７０１と共に、再生マーク７０３が表示されているが、操作不可能であることを示すためにグレーアウト表示されている。グレーアウト表示された再生ボタン７０２又は再生マーク７０３が押下されても、その操作は無効化される。
【００７３】
このように、発生したメンテナンス事象に対応する複数の部分動画の最後まで再生が終了した際には、途中で一時停止した場合と異なる画面が表示されるので、ユーザは動画が最後まで再生されたことを認識することができる。
【００７４】
図７（ｃ）は、図７（ａ）又は（ｂ）の状態において、スライダ５０６を移動する操作が行われた場合の画面例を示した図である。この場合、リプレイマーク７０５と共に、再生マーク７０４が表示される。また、再生ボタン７０６のグレーアウト表示が解除される。このように、動画の末尾まで再生終了した場合であっても、スライダ５０６の移動操作、バー５０５の押下などにより任意の位置からの再生操作が可能である。
【００７５】
図８（ａ）は、搬送部ジャム及び両面部ジャムの発生が検知され（メンテナンスＩＤは００３）、対応する動画を再生している途中の画面を示した図である。
【００７６】
アイコン８０１では、搬送部と両面部とにジャムが発生していることが示されている。メンテナンスＩＤが００３の場合、動画リストテーブル４００によれば、動画ＩＤがＡ１、Ａ２、Ａ３、Ａ４の部分動画が順に再生されることとなる。よって、再生時間表示ラベル８０２には、これらの部分動画の再生時間の総和である１分４０秒（０１：４０）、及び現在の再生位置が表示されている。また、動画の先頭、末尾、及び各部分動画の切替え位置にチャプタ８０３が表示されている。なお、図８（ａ）では、排紙部センサ３１５付近のジャム紙を除去する手順を示す部分動画Ａ２の再生は終了しており、両面部センサ３１６付近のジャム紙を除去する手順を示す部分動画Ａ３の再生途中の画面例が示されている。また、ユーザは部分動画Ａ２で示される手順に従って、排紙部センサ３１５付近のジャム紙の除去を完了しているものとする。
【００７７】
図８（ｂ）は、図８（ａ）の画面を表示している時に、右カバー２０１が閉じられたことを検知した場合に表示される画面例を示した図である。この場合、搬送部ジャムは解消されている一方で、両面部ジャムは未だ解消されていないため、ＣＰＵ１０１はメンテナンスＩＤを更新し、両面部ジャム（メンテナンスＩＤは００２）に対応する動画の再生に切り替える。具体的には、メンテナンスＩＤが００２の場合、動画リストテーブル４００によれば、動画ＩＤがＡ１、Ａ３、Ａ４の部分動画が順に再生されることとなる。よって、ＣＰＵ１０１は、部分動画Ａ１の先頭で停止された状態の画面を表示する。また、アイコン８０４、再生時間表示ラベル８０５、チャプタ８０６の表示も更新される。
【００７８】
このように、カバーが閉じられたことを検知した時点で、画像形成装置１００に発生しているメンテナンス事象が再確認され、それに伴い再生される動画も更新される。よって、搬送部ジャムと両面部ジャム等、複数の障害が発生し、それらを解消するための作業を行う場合に、ユーザはカバーを閉じることにより作業がどこまで無事完了したかを確認することができる。
【００７９】
図９は、通常よりも低フレームレートの動画が表示される場合の画面例である。メンテナンス手順を示す動画を再生中にスキャナデバイス１０８からの原稿読み込み処理等のジョブが開始された場合に、このような画面が表示される。なお、本実施形態では、画像処理装置はジョブが開始されると即座に低フレームレートの動画再生に切り替えるのではなく、動画の一時停止後、ユーザによる再生指示等が行われた際に切り替えられる。
【００８０】
動画表示領域９０１には、通常フレームレートの１２ｆｐｓよりも低い、３ｆｐｓの動画が再生される。
【００８１】
低フレームレート再生通知メッセージ９０２には、低フレームレートで再生していることを示すメッセージ“動画の更新頻度を下げて再生しています。”が表示される。
【００８２】
通常再生切替えボタン９０３は、動画の再生を低フレームレートの再生から、通常フレームレートの再生に切り替える指示を行うためのボタンである。
【００８３】
このように、低フレームレートの動画を再生中の場合は、上述した図５（ｂ）、図６（ａ）、図８（ａ）の代わりに図９のような画面が表示されることとなる。
【００８４】
図１０〜１５は、図１におけるＣＰＵ１０１により実行されるメンテナンス手順の表示処理を示すフローチャートである。
【００８５】
図１０における処理は、上述した右カバー２０１及びトナーカバー２０２の開閉状態を検知するセンサ、排紙部センサ３１５、及び両面部センサ３１６が示す値の変化をプリンタ制御部１０５が検知することにより開始される。
【００８６】
まず、ＣＰＵ１０１は、いずれのメンテナンス事象が発生したかを判定し、メンテナンスＩＤを特定する（Ｓ１００１）。例えば、排紙部センサ３１５が示す値が、当該センサ部位に印刷用紙の滞留を示すものであるならば、ＣＰＵ１０１は、メンテナンスＩＤを００１（排紙部ジャム）と特定する。
【００８７】
続いて、ＣＰＵ１０１は、動画リストテーブル４００を参照し、Ｓ１００１で特定したメンテナンスＩＤに対応する部分動画のリストと総数Ｎを取得する（Ｓ１００２）。例えば、特定したメンテナンスＩＤが００１の場合、再生する部分動画はＡ１、Ａ２、Ａ４であり、動画総数Ｎは３となる。ＣＰＵ１０１は、特定した複数の部分動画をその再生順で、例えば配列情報としてＲＡＭ１０４に一時的に記憶しておく。
【００８８】
Ｓ１００３では、ＣＰＵ１０１は、動画の総再生時間を算出する。ＣＰＵ１０１は、動画テーブル４１０に基づいて、Ｓ１００２で取得した部分動画各々の再生時間４１３を取得し、これらの総計を算出する。ＣＰＵ１０１は、算出した総再生時間に基づいて再生時間表示ラベル（図５（ａ）の５０４等）を表示する。
【００８９】
続いて、ＣＰＵ１０１は、部分動画各々の再生時間４１３に基づいてチャプタの表示位置を算出する（Ｓ１００４）。そして、ＣＰＵ１０１は、バー上においてＳ１００４で算出した表示位置にチャプタを表示する（Ｓ１００５）。
【００９０】
Ｓ１００６では、ＣＰＵ１０１は、先頭の動画ＩＤの部分動画をＲＡＭ１０４に読み込み、停止状態で表示デバイス１１５に出力する。例えば、メンテナンスＩＤが００１の場合、ＣＰＵ１０１は、事前準備動画である部分動画Ａ１をＲＡＭ１０４に読み込み、停止状態で表示デバイス１１５に出力する。
【００９１】
そして、ＣＰＵ１０１は、再生マーク及び再生ボタンを表示デバイス１１５に出力する（Ｓ１００７）。こうして、図５（ａ）に示す画面が表示される。
【００９２】
なお、Ｓ１００３、Ｓ１００４において、ＣＰＵ１０１は、動画テーブル４１０の再生時間４１３を利用して総再生時間やチャプタ表示位置の算出を行っているが、再生時間４１３を使用しなくても良い。つまり、ＣＰＵ１０１は、対応する複数の部分動画をＲＡＭ１０４に読み込み、それぞれの部分動画のフレームレートと総フレーム数から各部分動画の再生時間を計算し、その値から総再生時間やチャプタ表示位置を算出するようにしても良い。
【００９３】
また、動画の形式やコーデックについては、本発明により特に制限するものではなく、様々な形態を取ることができる。
【００９４】
図１１は、メンテナンス手順を示す動画が停止している状態で再生ボタン、再生マーク、又はリプレイマークが押下された際の処理手順を示すフローチャートである。
【００９５】
ＣＰＵ１０１は、ボタンまたはマークの押下がされたか判定する（Ｓ１１０１）。続いて、ＣＰＵ１０１は、押下されたのが、再生ボタン、再生マークのいずれかであるか、もしくはリプレイマークであるか判定する（Ｓ１１０２）。押下されたのが再生ボタン、又は再生マークであると判定された場合、Ｓ１１０３に進み、ＣＰＵ１０１は、動画を再生状態に変更する。一方、押下されたのがリプレイマークであると判定された場合、Ｓ１１０４に進み、ＣＰＵ１０１は、現在停止中の部分動画の先頭に移動し、再生状態に変更する。なお、Ｓ１１０３、Ｓ１１０４の詳細については、図１６を用いて後述する。
【００９６】
そして、Ｓ１１０５においてＣＰＵ１０１は、リプレイマーク、再生マークを非表示にし、一時停止ボタンを表示デバイス１１５に出力する。こうして、図５（ｂ）、図６（ａ）、図６（ｄ）等の画面が表示される。
【００９７】
図１２は、メンテナンス手順を示す動画の再生を停止する際の処理手順を示すフローチャートである。
【００９８】
ＣＰＵ１０１は、一時停止ボタン又は動画表示領域が押下されたか否かを判定する（Ｓ１２０１）。一時停止ボタン又は動画表示領域が押下されたと判定した場合、Ｓ１２０２の処理に進み、ＣＰＵ１０１は、動画を停止状態に変更する。
【００９９】
続いて、ＣＰＵ１０１は、再生マーク、リプレイマークを表示デバイス１１５に出力する（Ｓ１２０３）。
【０１００】
また、ＣＰＵ１０１は、再生ボタンを表示デバイス１１５に出力して（Ｓ１２０４）、処理を終了する。こうして、図６（ｂ）の画面が表示される。
【０１０１】
Ｓ１２０１において、一時停止ボタン及び動画表示領域が押下されていないと判定した場合、Ｓ１２０５に進み、ＣＰＵ１０１は、動画の再生位置がチャプタの位置であるか判断する。なお、ここでのチャプタは、部分動画が切り替わる位置を示しており、動画全体の先頭と末尾のチャプタは含まれない。動画の再生位置がチャプタの位置であると判定された場合、ＣＰＵ１０１は、上述したＳ１２０２〜Ｓ１２０４の処理を行う。こうして、図５（ｃ）、図６（ｃ）の画面が表示される。
【０１０２】
一方、Ｓ１２０５において、動画の再生位置がチャプタ位置ではないと判定された場合、ＣＰＵ１０１は、動画の再生位置が動画の末尾まで到達したか判定する（Ｓ１２０６）。動画の末尾まで到達したと判定された場合、ＣＰＵ１０１は、動画を停止状態に変更する（Ｓ１２０７）。動画の末尾まで到達していないと判定された場合、ＣＰＵ１０１はＳ１２０１の処理に戻る。そして、ＣＰＵ１０１は、リプレイマークを表示デバイス１１５に出力する（Ｓ１２０８）。
【０１０３】
また、ＣＰＵ１０１は、グレーアウトした再生ボタンを表示デバイス１１５に出力する（Ｓ１２０９）。こうして、図７（ａ）の画面が表示される。なお、Ｓ１２０８では、リプレイマークと共にグレーアウトした再生マークを表示するようにしてもよい（図７（ｂ））。
【０１０４】
図１３は、メンテナンス手順を示す動画が表示されている状態で、画像形成装置１００のカバーが開けられたときの処理を示すフローチャートである。
【０１０５】
Ｓ１３０１では、ＣＰＵ１０１は、現在発生しているメンテナンス事象に対応するカバーが開けられたか判断する。例えば、搬送部ジャム（メンテナンスＩＤが００１）が発生した場合、右カバー２０１を開ける操作手順を示す部分動画Ａ１が含まれているため、ＣＰＵ１０１は、右カバー２０１のセンサを検知し、右カバー２０１が開けられたか判断する。対応するカバーが開けられたと判断した場合、ＣＰＵ１０１は、動画テーブル４１０のカバー開閉フラグ４１４に基づき、カバーが開けられた後の操作手順を示す最初の部分動画、すなわち、本編動画の先頭に動画の再生位置を移動する（Ｓ１３０２）。例えば、メンテナンスＩＤが００１の場合、本編動画の先頭、すなわちカバー開閉フラグ４１４が１となる最初の部分動画はＡ２である。よって、ＣＰＵ１０１は、部分動画Ａ２の先頭に動画の再生位置を移動する。
【０１０６】
そして、ＣＰＵ１０１は、動画を停止状態にし（Ｓ１３０３）、再生マーク、及び再生ボタンを表示デバイス１１５に出力する（Ｓ１３０４）。こうして、図５（ｄ）の画面が表示される。なお、本処理によれば、本編動画を再生中に対応するカバーの開きを検知した場合も同様にＳ１３０２〜１３０４の処理が行われることとなる。例えば、メンテナンスＩＤが００１の場合、本編動画である部分動画Ａ２を再生中に再度右カバー２０１が開けられたことを検知した場合、ＣＰＵ１０１は、図５（ｄ）で示す画面へ表示を切り替える。これにより、シークバーの操作によりカバーを開く前に本編動画に進めてしまった場合でも、次に行うべき作業を示すことができ、操作手順の見逃しを防ぐことができる。
【０１０７】
図１４は、メンテナンス手順を示す動画が表示されている状態で、画像形成装置１００のカバーが閉じられた時の処理を示すフローチャートである。
【０１０８】
Ｓ１４０１では、ＣＰＵ１０１は、現在開いているカバーが閉じられたか判断する。カバーが閉じられたと判断した場合、ＣＰＵ１０１は、全てのメンテナンス事象が解消されたか否かを判定する（Ｓ１４０２）。例えば、搬送部ジャムと両面部ジャムが発生し、これに対応する動画を再生中に右カバー２０１が閉じられた場合、ＣＰＵ１０１は、排紙部センサ３１５、両面部センサ３１６の値より搬送部ジャムと両面部ジャムが解消されたか否かを確認する。解消されたと判定した場合、ＣＰＵ１０１は、Ｓ１４０３の処理に進む。解消していないと判定した場合、ＣＰＵ１０１は、Ｓ１４０４の処理に進む。
【０１０９】
Ｓ１４０３では、ＣＰＵ１０１は、メンテナンス手順の画面を非表示にし、処理を終了する。
【０１１０】
Ｓ１４０４では、ＣＰＵ１０１は、解消されたメンテナンス事象があるか判定する。例えば、搬送部ジャムと両面部ジャムのうち、いずれか一方が解消されたか否かが判定される。解消されたメンテナンス事象があると判定した場合、ＣＰＵ１０１は、図９のＳ１００１にて特定したメンテナンスＩＤを、未解消のメンテナンス事象に対応したメンテナンスＩＤに更新する（Ｓ１４０５）。例えば、搬送部ジャム及び両面部ジャムが発生し（メンテナンスＩＤが００３）、対応するメンテナンス手順を表示中に搬送部ジャムが解消され、その後右カバー２０１が閉じられた場合、ＣＰＵ１０１は、メンテナンスＩＤを００２に更新する。また、ＣＰＵ１０１は、更新したメンテナンスＩＤに応じた動画をＲＡＭ１０４に読み込み、総再生時間の算出、チャプタの配置等を行う。詳細な処理については、Ｓ１００１〜Ｓ１００５と同様のため、割愛する。
【０１１１】
続いて、ＣＰＵ１０１は、更新したメンテナンスＩＤに対応する部分動画をＲＡＭ１０４に読み込み、停止状態で表示デバイス１１５に出力する（Ｓ１４０６）。例えば、メンテナンスＩＤが００２の場合、ＣＰＵ１０１は、動画リストテーブル４００より、部分動画Ａ１の先頭で停止した状態の画面を表示する。
【０１１２】
そして、ＣＰＵ１０１は、再生マーク及び再生ボタンを表示デバイス１１５に出力する（Ｓ１４０７）。こうして、図８（ａ）の画面から図８（ｂ）の画面に表示が切り替わる。本処理により、既に作業が終了した操作手順を改めて表示することなく、まだ解消していないメンテナンス事象に対応する動画を先頭から表示するため、メンテナンス作業の効率を向上させるとともに、作業手順の見逃しを防ぐことができる。
【０１１３】
図１５は、スキャナデバイス１０８からの原稿読み込み処理、プリンタデバイス１０６からの印刷処理等のジョブの開始やジョブの終了等、ＣＰＵ１０１がジョブの実行状況の変化を検知した際の処理手順を示すフローチャートである。
【０１１４】
ＣＰＵ１０１は、ジョブ実行状況の変化が検知された場合、ジョブの開始か、ジョブの終了か判定する（Ｓ１５０１）。例えば、プリンタデバイス１０６からの印刷処理が開始した場合、ジョブの開始と判定され、印刷処理が完了した場合、ジョブの終了と判定される。
【０１１５】
ジョブの開始と判定された場合、ＣＰＵ１０１は、ジョブ実行中フラグをＯＮにし、ＲＡＭ１０４に記憶する（Ｓ１５０２）。ジョブの終了と判定された場合、ＣＰＵ１０１は、ジョブ実行中フラグをＯＦＦにし、ＲＡＭ１０４に記憶する（Ｓ１５０３）。
【０１１６】
図１６は、図１１のＳ１１０３、Ｓ１１０４で示した動画再生処理の詳細を示すフロー−チャートである。すなわち、ユーザにより再生ボタン又は再生マーク、もしくはリプレイマークが押下された場合に図１６で示す処理が行われる。
【０１１７】
まず、ＣＰＵ１０１は、ジョブの実行状況を判別するため、ＲＡＭ１０４に記憶されたジョブ実行中フラグがＯＮであるか判定する（Ｓ１６０１）。
【０１１８】
ジョブ実行中フラグがＯＮであると判定された場合、Ｓ１６０２に進み、ＣＰＵ１０１は、ＲＡＭ１０４に予め記憶された低フレームレート時のフレームレート設定値を読み込み、その設定値で動画を再生する。例えば、設定値が３ｆｐｓである場合、ＣＰＵ１０１は、１秒間に更新するフレーム数を３フレームに制御して再生処理を行う。
【０１１９】
そして、ＣＰＵ１０１は、低フレームレート再生通知メッセージ９０２、通常再生切替えボタン９０３を表示デバイス１１５に出力する（Ｓ１６０３）。こうして、図９の画面が表示される。
【０１２０】
一方、Ｓ１６０１において、ジョブ実行中フラグがＯＦＦであると判定された場合、Ｓ１６０４に進み、ＣＰＵ１０１は、ＲＡＭ１０４に予め記憶された通常フレームレート時のフレームレート設定値を読み込み、その設定値で動画を再生する。例えば、設定値が１２ｆｐｓである場合、ＣＰＵ１０１は、１秒間に更新するフレーム数を１２フレームに制御して再生処理を行う。その場合、ＣＰＵ１０１は、表示デバイス１１５から、低フレームレート再生通知メッセージ９０２、通常再生切替えボタン９０３を非表示にする（Ｓ１６０５）。
【０１２１】
なお、Ｓ１６０２、Ｓ１６０４において、フレームレート設定値は、予めＲＡＭ１０４に記憶されているものとしているが、通常再生時、低フレームレート再生時、それぞれのフレームレートを、ユーザに設定させるようにしても良い。また、Ｓ１６０２、Ｓ１６０４において、ＣＰＵ１０１は設定値に応じたフレームレートで動画の再生を行っている場合について説明したが、予めフレームレートが調整された動画を読み込んで実現しても良い。つまり、通常再生時用の通常フレームレートの動画と、低フレームレート再生時用の低フレームレートの動画を予めストレージ１１１に記憶しておき、ジョブ実行中フラグのＯＮ／ＯＦＦに応じて、読み込む動画を切り替えても良い。また、ＣＰＵ１０１は、再生ボタン又は再生マーク、もしくはリプレイマークが押下された場合だけでなく、スライダのドラッグにより再生位置を移動させた場合においても、再生する動画のフレームレートを変更するようにしてもよい。
【０１２２】
図１７は、メンテナンス手順を示す動画を低フレームレートで再生している状態で、通常再生切替えボタン９０３が押下された際の処理手順を示すフローチャートである。
【０１２３】
ＣＰＵ１０１は、通常再生切替えボタン９０３が押下されたか判定する（Ｓ１７０１）。通常再生切替えボタン９０３が押下されたと判定された場合、Ｓ１７０２に進み、ＣＰＵ１０１は、ＲＡＭ１０４に予め記憶された通常フレームレート時のフレームレート設定値を読み込み、その設定値で動画を再生する。
【０１２４】
続いて、ＣＰＵ１０１は、表示デバイス１１５から、低フレームレート再生通知メッセージ、通常再生切替えボタンを非表示にし（Ｓ１７０３）、処理を終了する。
【０１２５】
本実施形態によれば、メンテナンス手順を示す動画を再生中にジョブが開始された場合に、即座に低フレームレートの動画再生に切り替えることなく、ユーザが画面の操作を行ったタイミングで切り替える。これにより、現在ユーザが閲覧している動画が急に低フレームレートの再生になることを防ぎ、然るタイミングでＣＰＵの負荷を軽減することができる。また、低フレームレートの再生中であることをユーザに示すと共に、通常フレームレートの動画再生に戻すためのボタンを表示するので、ユーザが容易に動画のフレームレートの状態を認識し、状況に応じて動画の再生を優先させることができる。
【０１２６】
また、ジョブが終了した場合には、ユーザが画面の操作を行ったタイミングで通常フレームレートの動画再生に自動的に戻すので、ＣＰＵの負荷状況に応じてユーザにとって見やすい表示とすることができる。
【０１２７】
（第２の実施形態）
次に本発明を実施するための第２の実施形態について、第１の実施形態との差分を中心に説明する。第１の実施形態では、ユーザによる再生ボタン等の押下を検知したタイミング（図１０のＳ１１０１）で、フレームレートを変更して再生していた。すなわち、ユーザにより一時停止ボタン等が押下されたか（図１２のＳ１２０１）、動画がチャプタ位置まで再生されたか（図１２のＳ１２０５）に拘わらず、動画が一時停止された後に再生ボタン等が押下されればフレームレートの制御が行われていた。しかしながら、一つの部分動画を再生している際に、一時停止ボタンを押下する前と後とでフレームレートの変更が行われると、却ってユーザに違和感を与えてしまうことも考えられる。そこで本実施形態では、動画がチャプタ位置まで再生されたことにより一時停止され、その後ユーザにより再生ボタン等が押下された場合のみ動画のフレームレートを変更する場合について説明する。
【０１２８】
図１８は、図１１のＳ１１０３、Ｓ１１０４で示した動画再生処理の詳細を示すフローチャートである。すなわち、ユーザにより再生ボタン又は再生マークが押下された場合に図１８で示す処理が行われる。
【０１２９】
Ｓ１８０１において、ＣＰＵ１０１は、動画の再生位置がチャプタの位置であるか判断する。なお、ここでのチャプタは、部分動画が切り替わる位置を示しており、動画全体の先頭と末尾のチャプタは含まれない。動画の再生位置がチャプタの位置であると判定された場合、Ｓ１６０１に進み、図１６で示した処理と同様の処理を行う。すなわち、再生する部分動画が切り替わる際には、ジョブ実行中フラグの確認結果に応じて動画のフレームレートを制御する。
【０１３０】
一方、動画の再生位置がチャプタの位置でない場合（Ｓ１８０１のＮｏ）、ＣＰＵ１０１はジョブ実行中フラグを確認することなく、通常フレームレートでの動作再生を行う（Ｓ１６０４、Ｓ１６０５）。
【０１３１】
本実施形態によれば、部分動画が切り替わったタイミングで、ジョブの実行状況の判別結果に応じたフレームレートでの動画再生を行うため、よりユーザに違和感を与えずに、フレームレートを変更でき、ＣＰＵの負荷を軽減することができる。
【０１３２】
（第３の実施形態）
次に本発明を実施するための第３の実施形態について、第１、第２の実施形態との差分を中心に説明する。第１、２の実施形態では、再生する部分動画が切り替わるタイミング、すなわちチャプタの位置で動画が一時停止される場合について説明した（図１２のＳ１２０５、Ｓ１２０２）。本実施形態では、部分動画が切り替わるタイミングでは動画の一時停止が行われない場合、すなわち、図５（ａ）に示す画面で再生ボタン又は再生マークが押下された後、ユーザによる一時停止操作がなければ複数の部分動画を自動的に続けて再生する場合について説明する。この場合、図１２のＳ１２０５の判定処理は省略される。
【０１３３】
図１９は、部分動画が切り替わる場合の処理を示すフローチャートである。
【０１３４】
図１９０１において、ＣＰＵ１０１は再生する部分動画を切り替えるタイミングになったか否かを判定する。部分動画が切り替わるタイミングになった場合、Ｓ１６０１に進み、図１６で示した処理と同様の処理を行う、
本実施形態によれば、メンテナンス手順を示す部分動画を複数連続して再生する方式を用いた場合であっても、部分動画を切り替えるタイミングでジョブ状態に応じたフレームレートの制御を行うことができ、ＣＰＵの負荷を削減することができる。
【０１３５】
（第４の実施形態）
次に本発明を実施するための第４の実施形態について、第１〜第３の実施形態との差分を中心に説明する。第１〜３の実施形態では、ジョブの状態に応じて、メンテナンス手順を示す動画のフレームレートを変更していた。本実施形態では、低フレームレートの動画を再生する代わりに、メンテナンス手順を示すイラストを表示する例について説明する。
【０１３６】
この場合、図１６、図１８、図１９のＳ１６０２で示す処理の代わりに、以下の処理が行われる。すなわち、Ｓ１６０２において、ＣＰＵ１０１は、動画を非表示にし、図４の動画リストテーブル４００、動画テーブル４１０に基づいて、メンテナンスＩＤに応じたイラストガイダンスをストレージ１１１から読み込み、表示デバイス１１５に出力する。例えば、メンテナンスＩＤが００１の場合、動画リスト４０２、イラストファイル４１６より、部分動画Ａ１、Ａ２、Ａ４に対応する／ｉｍａｇｅ／Ａ１．ｐｎｇ、／ｉｍａｇｅ／Ａ２．ｐｎｇ、／ｉｍａｇｅ／Ａ４．ｐｎｇを読み込み、出力する。
【０１３７】
図２０はメンテナンス手順を示すイラストが表示される場合の画面例を示す図である。
【０１３８】
イラストガイダンス２００１は、動画の代わりになるメンテナンス手順を示すイラストを示す。メッセージ２００２は、イラストガイダンス２００１を補足する説明文である。メッセージ２００２は、図４のメッセージ４１５と同じ内容のメッセージを表示しても良いし、イラストガイダンス用の別のメッセージを表示しても良い。イラスト切替えボタン２００３は、イラストガイダンス２００１の表示を次の手順を示すイラスト、又は前の手順を示すイラストに切り替えるためのボタンである。イラスト表示通知メッセージ２００４には、図９の低フレームレート再生通知メッセージ９０２の代わりに、イラストを表示していることを示すメッセージが表示される。通常再生切替えボタン９０５は、イラストの表示から、通常フレームレートの動画再生に切り替える指示を行うためのボタンである。
【０１３９】
本実施形態によれば、動画の代わりにイラストガイダンスを表示することで、メンテナンス手順の表示にかかるＣＰＵの負荷をさらに軽減することができ、ジョブを優先して処理することができる。
【０１４０】
〔その他の実施形態〕
なお、上記実施形態ではコピー機能、スキャナ機能等の複数の機能を有する画像形成装置１００を例として説明したが、このうち一部の機能のみを有する画像処理装置にも本発明は適用可能である。また、パーソナルコンピュータやＰＤＡ、携帯電話、ＦＡＸ、カメラ、ビデオカメラ、その他の画像ビューワ等、他の情報処理装置に適用しても構わない。
【０１４１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【符号の説明】
【０１４２】
１００  画像形成装置
１０１  ＣＰＵ
１１１  ストレージ
【図１】
2015106288.tif 000003
【図２】
2015106288.tif 000004
【図３】
2015106288.tif 000005
【図４】
2015106288.tif 000006
【図５】
2015106288.tif 000007
【図６】
2015106288.tif 000008
【図７】
2015106288.tif 000009
【図８】
2015106288.tif 000010
【図９】
2015106288.tif 000011
【図１０】
2015106288.tif 000012
【図１１】
2015106288.tif 000013
【図１２】
2015106288.tif 000014
【図１３】
2015106288.tif 000015
【図１４】
2015106288.tif 000016
【図１５】
2015106288.tif 000017
【図１６】
2015106288.tif 000018
【図１７】
2015106288.tif 000019
【図１８】
2015106288.tif 000020
【図１９】
2015106288.tif 000021
【図２０】
2015106288.tif 000022